(57)【要約】【課題】植物を立体的に育成可能な植物登攀装置を提供すること。【解決手段】本発明の植物登攀装置５は、植物が登攀する第１方向に延び、前記第１方向と直交する第２方向において互いに平行な２列に沿って配置されている複数の誘引柱５３を備える。誘引柱５３は二列に交互に配置されているので、植物の成長を損なうことなく、植物のつるを高密度化できるので、植物のつるによる遮蔽効果の高い栽培装置１を実現できる。【選択図】図１
2018046755.tif 000002
【特許請求の範囲】
【請求項１】
植物が登攀する第１方向に延び、前記第１方向と直交する第２方向において互いに平行な２列に沿って配置されている複数の誘引柱を備える植物登攀装置。
【請求項２】
前記誘引柱間の前記第２方向の距離が可変である請求項１に記載の植物登攀装置。
【請求項３】
前記２列のうちの、第１列に並ぶ前記誘引柱と、第２列に並ぶ前記誘引柱とは、ジグザグ状に配置されるとともに前記誘引柱を中心として回転可能である補助柱で連結されている、
請求項１または２に記載の植物登攀装置。
【請求項４】
前記誘引柱の表面には、凹凸が形成されている、
請求項１から３のいずれか１項に記載の植物登攀装置。
【発明の詳細な説明】
【技術分野】
【０００１】
本発明は植物登攀装置に関する。
【背景技術】
【０００２】
壁面緑化は、都市部で問題になっているヒートアイランド現象の緩和策、省エネ対策の他にも多くの効果が期待できる。このような壁面緑化は、壁面を覆うように植物を栽培するため、つる性の植物が多く用いられる。つる性の植物を壁面緑化に用いる場合、壁面状につるを延ばすための補助部材として、従来より登攀材が用いられている（特許文献１参照）。
【先行技術文献】
【特許文献】
【０００３】
【特許文献１】特開２００６−７５００９号公報
【発明の概要】
【発明が解決しようとする課題】
【０００４】
しかし、従来の登攀材を用いると、植物は壁面に対して平面的に延びていく。ヒートアイランド現象の緩和に対して、より効果的に植物を用いるには、植物を立体的に育成することが好ましい。
【０００５】
本発明は、植物を立体的に育成可能な植物登攀装置を提供することを目的とする。
【課題を解決するための手段】
【０００６】
本発明は、植物が登攀する第１方向に延び、前記第１方向と直交する第２方向において互いに平行な２列に沿って配置されている複数の誘引柱を備える植物登攀装置を提供する。
【０００７】
前記誘引柱間の前記第２方向の距離が可変であることが好ましい。
【０００８】
前記２列のうちの、第１列に並ぶ前記誘引柱と、第２列に並ぶ前記誘引柱とは、ジグザグ状に配置されるとともに前記誘引柱を中心として回転可能である補助柱で連結されていることが好ましい。
【０００９】
前記誘引柱の表面には、凹凸が形成されていることが好ましい。
【発明の効果】
【００１０】
本発明によれば、使い勝手のよい植物登攀装置を提供することができる。
【図面の簡単な説明】
【００１１】
【図１】実施形態の植物登攀装置５、およびこの植物登攀装置５が装着される栽培装置との斜視図である。
【図２】誘引柱５３と補助柱５４との連結状態を示した図である。
【図３】植物登攀装置５の伸縮状態を説明する図であり、（ａ）は伸長状態、（ｂ）は収縮状態である。
【発明を実施するための形態】
【００１２】
以下、図面を参照しながら、本発明の実施形態の植物登攀装置５について説明する。図１は実施形態の植物登攀装置５と、その植物登攀装置５が装着される栽培装置１とを示す斜視図である。
【００１３】
まず、本発明の実施形態の植物登攀装置５が装着される栽培装置１から説明する。栽培装置１は、外装容器１０と、その外装容器１０内に配置されるプランタ４０と、送液ポンプ３０とを備える。
【００１４】
外装容器１０は、前後左右の壁部と底部とを有し、上面が開放した有底の箱部材である。
本実施形態の外装容器１０は、上部空間と下部空間とに分けられている。ただし、これに限定されず、内部空間は分離されていなくてもよい。
本実施形態の上部空間にはプランタ４０が設置可能である。プランタ４０は、例えば上部の縁部を外装容器１０に設けられた段部に掛けることにより、上部空間に保持される。
【００１５】
外装容器１０の下部空間は、養液を貯留可能な養液貯留部２０となっている。養液は、植物の育成に必要な養分を含む液体である。養液貯留部２０には送液ポンプ３０が配置されている。送液ポンプ３０は、外装容器１０に設置されたプランタ４０に散水する散水ラインである散水パイプ３１に接続されている。送液ポンプ３０により送り出される養液は、散水パイプ３１を通って、散水パイプ３１に設けられた散水孔３１ａよりプランタ４０に散水される。
【００１６】
プランタ４０の内部には、これに限定されないが、本実施形態では軽量な透水性を有する培土が収容され、培土に植物が植栽されている。プランタ４０の底面には開口が設けられている。なお、このプランタ４０としては、上記構成を有する市販のプランタを用いることができる。
【００１７】
本実施形態では、外装容器１０の内部に、プランタ４０を２つ収納可能となっている。ただしこれに限定されず、内部に収納可能なプランタ４０の数は１でもよく、また、２より多くてもよい。
【００１８】
外装容器１０の長手方向（第２方向）の側壁部には、凹部１４が設けられ、凹部１４には登攀装置装着部５Ｂがはめ込まれている。登攀装置装着部５Ｂは、中空の筒部材であり、内部に後述の支柱５Ａが挿入可能である。
【００１９】
図１に示すように、栽培装置１の上部には、本実施形態の植物登攀装置５が装着可能である。植物登攀装置５は、プランタ４０に植えられた、つる性の植物のつるを誘引するためのものである。
植物登攀装置５は、栽培装置１の長手方向（第２方向）の両端部に配置されて上下方向（第１方向）に延びる２本の支柱５Ａを備える。支柱５Ａは、上述のように、外装容器１０の長手方向（第２方向）の前後に設けられた、筒状の登攀装置装着部５Ｂに挿入されることで、外装容器１０に固定可能となっている。
【００２０】
植物登攀装置５は、さらに、２本の支柱５Ａの間に配置される複数の誘引柱５３を備える。誘引柱５３は、つる性の植物が延びる上下方向（第１方向）に延びている。
これらの複数の誘引柱５３は、一方の支持５Ａから他方の支柱５Ａに向かう第２方向に沿って、２列に並んでいる。
一方の列（図中前側の列）に並ぶ誘引柱５３ａと、他方の列（図中後側の列）に並ぶ誘引柱５３ｂとは、第２方向と垂直な第３方向に延びる同一の直線上に存在せず、互い違い（千鳥状）に並んでいる。すなわち、第１列における隣接する誘引柱５３ａの間に、第２列における誘引柱５３ｂの一つが配置されている。換言すると、第１列に並ぶ誘引柱５３ａと、第２列に並ぶ誘引柱５３ｂとは、それぞれジグザグな線の折れ曲がり点に配置されている。
【００２１】
そして、第１列に並ぶ誘引柱５３ａと、第２列に並ぶ誘引柱５３ｂとは、第１方向と直交する水平面において第２方向及び第３方向に対して斜めに延びる補助柱５４により連結されている。補助柱５４は誘引柱５３ａと誘引柱５３ｂとを連結してジグザグ状に配置されている。
補助柱５４は、誘引柱５３ａの上部と下部との２か所に配置されている。
【００２２】
図２は、誘引柱５３（誘引柱５３ａと５３ｂとを区別して説明する必要がない場合、誘引柱５３として説明する）と補助柱５４との連結状態を示した図である。図示するように。補助柱５４は、誘引柱５３の外周に回転可能に挿入された円環部材５４ａの側面より水平方向に延び、誘引柱５３を中心として回転可能である。
【００２３】
これにより、植物登攀装置５は、両端の支柱５Ａ間の距離を変えることができる。すなわち植物登攀装置５は、第２方向に伸縮可能である。図３は、植物登攀装置５の伸縮状態を説明する図であり、（ａ）は伸長状態、（ｂ）は収縮状態である。
図３（ａ）に示すように、例えば、幅の広い栽培装置１に植物登攀装置５を取り付ける場合、両端の支柱５Ａを互いに離れる方向に引っ張る。そうすると、１本の誘引柱５３から延びる２本の補助柱５４の間の角度θが大きくなり、両端の支柱５Ａの間の距離は広がる。
図３（ｂ）に示すように、例えば、幅の狭い栽培装置１に植物登攀装置５を取り付ける場合、両端の支柱５Ａを互いに近づく方向に引っ張る。そうすると、１本の誘引柱５３から延びる２本の補助柱５４の間の角度θが小さくなり、両端の支柱５Ａの間の距離は狭まる。
このように、本実施形態の植物登攀装置５は、誘引柱５３が前後に２列に配置されているので、立体的に植物を育成することができる。ゆえに、本実施形態によれば、植物の成長を損なうことなく、植物のつるを高密度化できるので、植物のつるによる遮蔽効果の高い栽培装置１を実現できる。
さらに、誘引柱５３間の距離が伸縮可能であるので、異なる幅の栽培装置１に適用可能である。したがって、栽培装置１の幅に合わせた植物登攀装置５を用意する必要がないので使い勝手がよい。
【００２４】
また、実施形態の誘引柱５３は、例えば表面に砂を付着させてその上から塗装されている。すなわち、誘引柱５３の表面には凹凸５４ｂが形成されている。したがって、植物のつるが巻き付いたときにつるが滑りにくく、つるが確実に登攀可能なようになっている。
なお、補助柱５４が取り付けられた円環部材が挿入されている部分については、回転時において滑りやすくするために、凹凸が形成されていないことが好ましい。
【００２５】
次に、実施形態の植物登攀装置５、及びその植物登攀装置５が装着される栽培装置１について説明する。
まず、栽培装置１の養液貯留部２０に養液を注ぐ。栽培装置１の上部空間にプランタ４０を配置する。プランタ４０には培土とつる性の植物が植えられている。
栽培装置１の外周に設けられた登攀装置装着部５Ｂに植物登攀装置５の支柱５Ａを挿入する。このとき、植物登攀装置５は伸縮可能で支柱５Ａ間の距離が可変である。
すなわち、上述したように、図３（ａ）に示すように、例えば、幅の広い栽培装置１に植物登攀装置５を取り付ける場合、両端の支柱５Ａを互いに離れる方向に引っ張る。そうすると、１本の誘引柱５３から延びる２本の補助柱５４の間の角度θが大きくなり、両端の支柱５Ａの間の距離は広がる。図３（ｂ）に示すように、例えば、幅の狭い栽培装置１に植物登攀装置５を取り付ける場合、両端の支柱５Ａを互いに近づく方向に押す。そうすると、１本の誘引柱５３から延びる２本の補助柱５４の間の角度θが小さくなり、両端の支柱５Ａの間の距離は狭まる。
したがって、栽培装置１（外装容器１０）の長手方向の幅によらず、植物登攀装置５を栽培装置１に装着することができる。
【００２６】
また、栽培装置１の幅によらず、好みや希望に応じて、植物登攀装置５の幅を伸縮することもできる。植物登攀装置全体の間隔を狭くすることで緑化密度を上げることができる。
例えば、比較として誘引柱５３が一列の場合は、つるの巻き付く余裕なども考えると誘引柱５３同士の間隔をあまり狭くできない。しかし、本実施形態では、誘引柱５３は二列に交互に配置されているので、誘引柱５３同士の間隔をあまり狭くすることなく、補助柱５４の間の角度θを変えることで緑化の密度を調整することもできる。
【００２７】
さらに、植物が延びていくと、誘引柱５３は前後に２列に配置されているので、立体的に植物を育成することができる。ゆえに、本実施形態によれば、植物の成長を損なうことなく、植物のつるを高密度化できるので、植物のつるによる遮蔽効果の高い栽培装置１を実現できる。
【００２８】
送液ポンプ３０を作動させる。送液ポンプ３０を作動させる時間は、季節等によって異なるが、例えば１日１回、５分程度とし、その時間はタイマー等で管理可能である。
送液ポンプ３０が作動されると、養液は、散水パイプ３１を伝わって上部へと送出され、散水孔３１ａより培地へ散水される。
【００２９】
植物には適宜養液が散水されて育成して、つるを延ばすと植物登攀装置５の誘引柱５３に巻き付いて延びていく。このとき、誘引柱５３の表面に凹凸５４ｂが形成されているので、植物のつるは、誘引柱５３を滑ることなくしっかりと巻きついていく。
【００３０】
さらに、養液は送液ポンプ３０により自動で送られるので、使用者の散水及び養液の供給の手間を省くことができる。また、養液の供給忘れによる乾燥や発育不全が生じることがない。
【００３１】
養液は、かけ流しでなく、培地により吸収されなかった養液は、プランタの開口４３より養液貯留部２０に流れ出る。養液貯留部２０に貯留された養液は、再度、送液ポンプ３０で培地へと送られるので、養液が無駄になることがない。ゆえに、環境汚染等の可能性が少ない。
【００３２】
養液は外装容器１０内に貯留されるので、液肥管理が容易となり施肥作業が短縮できる。
【００３３】
また、プランタが配置される外装容器１０内に養液貯留部２０を設置して、一体化しているので、養液タンク等を別途設ける必要がなく、タンクの設置場所が不要となり、省スペース化が図れる。
【００３４】
プランタ４０は着脱可能であるので、取替用として予備も準備できる。
【００３５】
栽培装置１に植物登攀装置５が装着可能であるので、栽培装置１と植物登攀装置５とが一体となった栽培システム３を提供することができる。したがって、この栽培システム３単独で、壁面緑化を行うことができる。
【符号の説明】
【００３６】
１    栽培装置
５    植物登攀装置
５Ａ    支柱
５Ｂ    登攀装置装着部
１０    外装容器
１４    凹部
２０    養液貯留部
３０    送液ポンプ
３１    散水パイプ
３１ａ    散水孔
４０    プランタ
４３    開口
５１Ａａ，５１Ａｂ    支持柱
５３    誘引柱
５３ａ，５３ｂ    誘引柱
５４    補助柱
５４ａ    円環部材
５４ｂ    凹凸
【図１】
2018046755.tif 000003
【図２】
2018046755.tif 000004
【図３】
2018046755.tif 000005